(57)【特許請求の範囲】
【請求項１】
射出成形機の稼動状況をその制御装置に接続されたディスプレイ装置の画面において表示する表示方法において、
現時点から任意に設定可能な過去Ｘ時間における射出成形機の稼動状況を０〜１００％の稼働率で表示するようにした第１のグラフと、
成形品の変更の有無を、成形品毎の条件名が変更される毎に、現時点から任意に設定可能な過去Ｘ時間について色を変更して区別表示する第２のグラフと、
成形条件の変更の有無を、成形条件内の条件項目が変更される毎に、現時点から任意に設定可能な過去Ｘ時間について色を変更して区別表示する第３のグラフのうち少なくとも１つのグラフを用いて、過去のＸ時間前からの時刻を時間軸として前記稼動状況を表すことを特徴とする射出成形機の稼動状況表示方法。
【請求項２】
射出成形機の稼動状況をその制御装置に接続されたディスプレイ装置の画面において表示する表示方法において、
前記ディスプレイ装置は、現時点から任意に設定可能な過去Ｘ時間分の品質データの変化状況を共通時間軸を横軸にして示す総括グラフ画面を表示可能であり、
前記稼動状況を、
現時点から任意に設定可能な過去Ｘ時間における射出成形機の稼動状況を０〜１００％の稼働率で表示するようにした第１のグラフと、
成形品の変更の有無を、成形品毎の条件名が変更される毎に、現時点から任意に設定可能な過去Ｘ時間について色を変更して区別表示する第２のグラフと、
成形条件の変更の有無を、成形条件内の条件項目が変更される毎に、現時点から任意に設定可能な過去Ｘ時間について色を変更して区別表示する第３のグラフのうち少なくとも１つのグラフを用いて、前記Ｘ時間を示す数値と共に前記総括グラフ画面内に表示することを特徴とする射出成形機の稼動状況表示方法。
【請求項３】
複数台の射出成形機を管理する複数台管理システムにおける管理装置に備えられたディスプレイ装置の画面により各射出成形機の稼動状況を表示する表示方法において、
前記ディスプレイ装置は、前記複数台の射出成形機の運転状況を、画面分割形式にて前記複数台の号機について一括して表示する運転状況画面を表示可能であり、
前記ディスプレイ装置はまた、前記運転状況画面における各号機の分割画面における特定箇所をクリックすることで該当する号機のみの稼動状況を詳細に示す総括グラフ画面を表示可能にされており、
前記総括グラフ画面では、現時点から任意に設定可能な過去Ｘ時間における射出成形機の稼動状況を０〜１００％の稼働率で表示するようにした第１のグラフと、
成形品の変更の有無を、成形品毎の条件名が変更される毎に、現時点から任意に設定可能な過去Ｘ時間について色を変更して区別表示する第２のグラフと、
成形条件の変更の有無を、成形条件内の条件項目が変更される毎に、現時点から任意に設定可能な過去Ｘ時間について色を変更して区別表示する第３のグラフのうち少なくとも１つのグラフを用いて、過去の所定時間前からの時刻を共通時間軸として前記稼動状況を表すことを特徴とする射出成形機の稼動状況表示方法。
【請求項４】
請求項２または３に記載の稼動状況表示方法において、
前記ディスプレイ装置は、所定のショット数の累積値の変化を前記共通時間軸を横軸にして折れ線グラフで示すことを特徴とする射出成形機の稼動状況表示方法。
【請求項５】
請求項２または３に記載の稼動状況表示方法において、
前記総括グラフ画面の特定箇所をクリックすることで、設定履歴画面もしくは異常履歴画面を表示することを特徴とする射出成形機の稼動状況表示方法。
【発明の詳細な説明】
【０００１】
【発明の属する技術分野】
本発明は射出成形機の稼働状況をディスプレイ装置によりオペレータに分かり易く表示するための稼働状況表示方法に関し、特に複数台の射出成形機を一括管理する複数台管理システムにおける表示に適した稼働状況表示方法に関する。
【０００２】
【従来の技術】
同じ場所に設置された複数台の射出成形機を管理する複数台管理システムとして、例えば生産性の面から管理する群管理システムが提供されている。この種の複数台管理システムでは、複数台の射出成形機と接続した管理装置として、例えばディスプレイ装置付きのパーソナルコンピュータを備えている。管理装置は、射出成形機に設置された各種センサから様々な情報を受け、受信した情報を内蔵の管理プログラムに基づいて処理すると共に、処理した結果を内蔵のメモリに保存及び管理画面としてディスプレイ装置にて表示する。勿論、情報の種別によっては受信した生情報がそのままメモリに保存される場合もある。
【０００３】
【発明が解決しようとする課題】
ところで、射出成形機は成形品を生産する設備であるため、その稼働率を管理し、稼働率を向上させることは生産現場にとって非常に重要な課題である。しかし、複数台の射出成形機を一括管理する場合、射出成形機毎に現時点での稼働率がどのような状況になっているかをオペレータが簡単に把握できるようにすることは難しい。
【０００４】
一般的に、複数台管理システムを利用すれば、一日の稼働率を自動的に集計することはできる。しかし、この場合の稼働率というのは、一日の稼働が終了してはじめて知ることのできる稼働率である。つまり、この場合の稼働率はリアルタイムで得られる値ではない。また、射出成形機を稼働している設備には、２４時間成形している場合もあるし、１２時間の場合もある。つまり、稼働率の計算が２４時間ベースか１２時間ベースかで異なってくる。
【０００５】
このような問題を解決するために、本発明は射出成形機における稼働率をリアルタイムに分かり易く表示できるような稼働状況表示方法を提供することにある。
【０００６】
本発明の他の課題は、複数台の射出成形機を一括管理するようなシステムであっても射出成形機毎の稼働状況をリアルタイムに分かり易く表示できるような稼働状況表示方法を提供することにある。
【０００７】
【課題を解決するための手段】
本発明による稼働状況表示方法は、射出成形機が単一である場合、以下のように実施される。
【０００８】
つまり、射出成形機の稼動状況をその制御装置に接続されたディスプレイ装置の画面において表示する表示方法において、現時点から任意に設定可能な過去Ｘ時間における射出成形機の稼動状況を０〜１００％の稼働率で表示するようにした第１のグラフと、成形品の変更の有無を、成形品毎の条件名が変更される毎に、現時点から任意に設定可能な過去Ｘ時間について色を変更して区別表示する第２のグラフと、成形条件の変更の有無を、成形条件内の条件項目が変更される毎に、現時点から任意に設定可能な過去Ｘ時間について色を変更して区別表示する第３のグラフのうち少なくとも１つのグラフを用いて、過去のＸ時間前からの時刻を時間軸として前記稼動状況を表すことを特徴とする。
【０００９】
射出成形機が単一である場合、以下のように実施しても良い。
【００１０】
つまり、射出成形機の稼動状況をその制御装置に接続されたディスプレイ装置の画面において表示する表示方法において、前記ディスプレイ装置は、現時点から任意に設定可能な過去Ｘ時間分の品質データの変化状況を共通時間軸を横軸にして示す総括グラフ画面を表示可能であり、前記稼動状況を、現時点から任意に設定可能な過去Ｘ時間における射出成形機の稼動状況を０〜１００％の稼働率で表示するようにした第１のグラフと、成形品の変更の有無を、成形品毎の条件名が変更される毎に、現時点から任意に設定可能な過去Ｘ時間について色を変更して区別表示する第２のグラフと、成形条件の変更の有無を、成形条件内の条件項目が変更される毎に、現時点から任意に設定可能な過去Ｘ時間について色を変更して区別表示する第３のグラフのうち少なくとも１つのグラフを用いて、前記Ｘ時間を示す数値と共に前記総括グラフ画面内に表示することを特徴とする。
【００１１】
本発明を、複数台の射出成形機を一括管理する複数台管理システムに適用する場合、以下のように実施される。
【００１２】
つまり、複数台の射出成形機を管理する複数台管理システムにおける管理装置に備えられたディスプレイ装置の画面により各射出成形機の稼動状況を表示する表示方法において、前記ディスプレイ装置は、前記複数台の射出成形機の運転状況を、画面分割形式にて前記複数台の号機について一括して表示する運転状況画面を表示可能であり、前記ディスプレイ装置はまた、前記運転状況画面における各号機の分割画面における特定箇所をクリックすることで該当する号機のみの稼動状況を詳細に示す総括グラフ画面を表示可能にされており、前記総括グラフ画面では、現時点から任意に設定可能な過去Ｘ時間における射出成形機の稼動状況を０〜１００％の稼働率で表示するようにした第１のグラフと、成形品の変更の有無を、成形品毎の条件名が変更される毎に、現時点から任意に設定可能な過去Ｘ時間について色を変更して区別表示する第２のグラフと、成形条件の変更の有無を、成形条件内の条件項目が変更される毎に、現時点から任意に設定可能な過去Ｘ時間について色を変更して区別表示する第３のグラフのうち少なくとも１つのグラフを用いて、過去の所定時間前からの時刻を共通時間軸として前記稼動状況を表すことを特徴とする。
【００１３】
なお、上記の稼動状況表示方法においては、前記ディスプレイ装置は、所定のショット数の累積値の変化を前記共通時間軸を横軸にして折れ線グラフで示すようにされても良い。また、前記総括グラフ画面の特定箇所をクリックすることで、設定履歴画面もしくは異常履歴画面を表示するようにされても良い。さらに、前記第１〜第３のグラフをそれぞれ棒グラフとしても良い。特に、第１のグラフによる前記稼働状況の表示に代えて、稼働、通常の停止、異常発生による停止、電源切りの４種類で規定し、Ｘ時間前から現時点までの時間経過に対応させて前記４種類の状況を色分け区分表示するようにしても良い。更に、前記ディスプレイ装置は、前記Ｘ時間分のショット数の累積値の変化を時刻を横軸にして折れ線グラフで示すと共に前記Ｘ時間分の品質データの変化状況を時刻を横軸にして示す総括グラフ画面を表示可能であり、前記稼働状況を示す棒グラフが前記Ｘ時間を示す数値と共に前記総括グラフ画面内に表示される。
【００１４】
【発明の実施の形態】
本発明の実施の形態を、図１に示すような射出成形機の複数台管理システムに適用する場合について説明する。図１において、同じ場所に複数台の射出成形機１０−１〜１０−ｎが設置され、これらはディスプレイ装置付きの管理装置２０で一括管理されている。つまり、管理装置２０は、射出成形機１０−１〜１０−ｎにおけるそれぞれの制御装置に接続されており、射出成形機１０−１〜１０−ｎのそれぞれに設置された各種センサからの様々な情報を各制御装置経由で受信し、受信した情報を内蔵の管理プログラムに基づいて射出成形機別に処理すると共に、処理した結果を内蔵のメモリに保存及び管理画面としてディスプレイ装置に表示する。情報の種別によっては受信した生情報がそのままメモリに保存される。
【００１５】
次に、管理装置２０において各射出成形機の稼働状況を表すためにディスプレイ装置にて表示される複数種類の管理画面のうち、４つの例について説明する。
【００１６】
図２は、複数台の射出成形機の運転状況をリアルタイムに表示する運転状況画面である。この運転状況画面では、複数台の射出成形機の稼働状況が、画面分割形式にてすべての号機（ここでは１号機〜３０号機）についてリアルタイムで一括して１画面に表示される。例えば、９号機について拡大して示した図３をも参照して説明すると、左上に号機の番号、右上に成形条件変更カウンタの計数値C １（ここでは１７）、右横に２４時間稼働状態グラフ、下側にはショット数（５２９）とサイクル時間（１４．９ｓｅｃ）とが表示されている。ここで、成形条件変更カウンタというのは、成形を開始してから現在までに何回成形条件が変更されたかを計数するカウンタである。このカウンタは管理装置に備えられる。各射出成形機における制御装置には成形条件の変更を検出する手段が設けられ、管理装置では各制御装置からの検出結果を受けてそれぞれをカウントし、各号機別にカウント結果をディスプレイ装置に表示させる。管理装置では、この表示値を必要に応じてリセット可能である。
【００１７】
また、２４時間稼働状態グラフというのは、現時点から過去２４時間における射出成形機の稼働状態を色分けにして１本の第１の棒グラフＢ１で表示するものである。稼働状態は、稼働、通常の停止（スタンバイ中）、異常発生による停止、電源切りの４種類で規定され、２４時間前から現時点までの時間経過に対応させて前記４種類の状態が色分け区分表示される。ここでは、稼働が青色、通常の停止が黄色、異常発生による停止が赤色、電源切りが灰色で示され、図３では便宜上、青色は左下がりのハッチング、黄色は右下がりのハッチング、赤は梨地模様、灰色は網目模様で示している。また、第１の棒グラフＢ１の最下端が２４時間前、最上端が現時点をそれぞれ示し、例えば、過去２４時間前から１２時間前までは通常の停止、過去１２時間前から現時点までは稼働中であれば、第１の棒グラフＢ１は下半分が黄色、上半分が青で表示されることになる。
【００１８】
本形態では更に、各号機の分割画面内に射出成形機の外観が模式的に表示され、しかもその背景が、現在の稼働状態を示すために、前記稼働、前記通常の停止、前記異常発生による停止、前記電源切りの４種類について第１の棒グラフＢ１における色分けと同じ対応色関係で表示されるようにしている。つまり、上記の例示と同じとすると、背景色は青となる。
【００１９】
このような運転状況画面を見ることで、オペレータあるいは管理者はどの号機が過去２４時間においてどのような稼働状況であったのかを一目瞭然で知ることができる。なお、２４時間という数値は、通常は固定値であるが、可変としても良い。
【００２０】
ところで、管理装置２０では、ディスプレイ装置における上記の運転状況画面における各号機の分割画面における特定箇所（画面上のアイコン）をクリックすることで該当する号機のみの稼働状況を詳細に示す総括グラフ画面を表示可能にしている。
【００２１】
図４は、総括グラフ画面の例であり、この総括グラフ画面では号機別（ここでは１０号機）に、２４時間分の品質データの変化状況、異常発生の有無、設定変更の有無が時刻を横軸にして１画面にて表示される。図４において、最上段のグラフはショット数の累積値の変化を示す折れ線グラフであり、縦に入っている複数の線、例えば線Ｌ１は１８時近辺で成形の中断（異常発生）があったことを示す。Ｌ２の『状態』というのは、前に述べた稼働状態の表示と同じであり、稼働、通常の停止（スタンバイ中）、異常発生による停止、電源切りの４種類で規定され、２４時間分の状態が時刻に対応させて色分け表示される。Ｌ３の『条件名』というのは、成形条件の変更、つまり成形品毎の条件名が変更されると色を変更し、変更された時刻を示すグラフである。言い換えれば、これは成形品が変わると変更されるものであり、色別表示されるが、色そのものに意味があるわけではなく、色が変わった時刻に意味がある。一方、Ｌ４の『項目』というのは、成形条件内の条件項目が変更されると色を変え変更されたことを時刻とともに表示するグラフである。例えば、射出の条件や型開の条件等が変更された場合に色が変更されるものであり、これも色そのものというより、色が変わった時刻に意味がある。このため、『条件名』、『項目』の色は、『状態』とは異なり、４色以上が用意される。
【００２２】
また、Ｌ５の１段目のグラフは図４下側の表示項目選択欄に示されている表示項目の『充填時間』の時間経過を示し、２段目は同様に『最小クッション位置』の時間経過を示す。３段目のグラフは『保圧完了位置』を示し、４段目、５段目はそれぞれ、『Ｖ−Ｐ切換位置』、『充填前位置』の時間経過を示す。
【００２３】
本形態では更に、総括グラフ画面の右横に更に、過去２４時間における当該号機の稼働状況を、０〜１００％の稼働率で第２の棒グラフＢ２により、２４時間を示す数値と共に表示するようにしている。図４では、過去２４時間の稼働率が９５％であることを示し、図４下側の表示項目選択欄に示されている『時間表示』の箇所に稼働率計算のベースになっている２４という数字が表示されている。なお、ここでの『時間表示』の欄の数字は任意に変更することができる。つまり、表示項目選択欄に示されている『日時』、『時間表示』は任意に設定することができ、ここでは２０００年９月４日１０時から２４時間という数値が設定されていることにより、図４最上部に示されているように、２０００年９月４日１０時から２０００年９月５日１０時までの２４時間分が表示される。仮に、『時間表示』に１２という数字を入力すれば、１２時間をベースとした過去１２時間分の稼働率が第２の棒グラフＢ２で表示される。この場合、図４の１段目〜８段目のグラフあるいは項目も過去１２時間分について示されることになる。このような第２の棒グラフＢ２によれば、任意な時間の任意な時刻からの稼働率を表示できる。
【００２４】
図５は、設定履歴画面の例であり、この設定履歴画面では号機別（ここでは１０号機）に、設定変更の履歴が、変更した項目、変更前及び変更後の設定値、変更日時と共に１画面にて表示される。
【００２５】
図６は、異常履歴画面の例であり、この異常履歴画面では号機別（ここでは１０号機）に、異常発生の履歴が、異常の項目、発生日時、解除日時と共に１画面にて表示される。
【００２６】
前に述べたように、図４の総括グラフ画面は図２の運転状況画面にリンクしており、図２の運転状況画面における各号機の特定箇所（画面上のアイコン）をクリックすることで表示されるようになっている。また、図５の設定履歴画面、図６の異常履歴画面はそれぞれ図４の総括グラフ画面にリンクしており、図４の総括グラフ画面の特定箇所（画面上のアイコン）をクリックすることで表示されるようになっている。
【００２７】
なお、上記の説明は、複数台管理システムに適用する場合についてであるが、本発明は複数台管理システムに限らず、１台の射出成形機のみの場合にも適用できることは言うまでも無い。つまり、射出成形機は必ず制御装置を備えており、この制御装置にはモニタ用のディスプレイ装置が接続されている。そして、このディスプレイ装置に図４に示すような総括グラフ画面や図５の設定履歴画面、図６の異常履歴画面を表示させることができる。但し、図２のような運転状況画面は無いので、図３に示すような第１の棒グラフは、図４における総括グラフ画面における第２の棒グラフに代えて表示するようにすれば良い。また、１台の射出成形機のみの場合には、制御装置及びディスプレイ装置は射出成形機本体のすぐ近くにあるので、図３に示すような射出成形機の外観を模式的に示すような画面は不要である。言い換えれば、現時点のみの稼働状況を示すような表示は不要である。
【００２８】
【発明の効果】
以上説明したように、本発明の稼働状況表示方法によれば稼働状況や稼働率をいつでも容易に確認でき、生産の稼働率ベース時間に合わせた情報が容易にわかる。したがって、このような稼働状況表示方法は、複数台の射出成形機を一括管理する複数台管理システムに最適である。
【図面の簡単な説明】
【図１】本発明が適用される射出成形機の多数台管理システムの構成を概略的に示した図である。
【図２】図１に示された管理装置のディスプレイ装置で表示される管理画面の一例として運転状況画面の例を示した図である。
【図３】図２に示された分割画面の一つを拡大して示した図である。
【図４】図１に示された管理装置のディスプレイ装置で表示される管理画面の他の例として総括グラフ画面の例を示した図である。
【図５】図１に示された管理装置のディスプレイ装置で表示される管理画面の他の例として設定履歴画面の例を示した図である。
【図６】図１に示された管理装置のディスプレイ装置で表示される管理画面の他の例として異常履歴画面の例を示した図である。
【符号の説明】
１０−１〜１０−ｎ    射出成形機
２０    管理装置
Ｂ１    第１の棒グラフ
Ｂ２    第２の棒グラフ
【図１】
0003661612.tif 000002
【図２】
0003661612.tif 000003
【図３】
0003661612.tif 000004
【図４】
0003661612.tif 000005
【図５】
0003661612.tif 000006
【図６】
0003661612.tif 000007